(57)【要約】【課題】特に小型の塗料容器において、ペイントブラシに付着させたペイント量を正確に調整可能とする塗料容器及びそれに用いる絞り部材を提供すること。【解決手段】容器本体（２）と、該容器本体（２）に着脱自在の蓋体（３）と、前記容器本体（２）における口部近傍に装着される絞り部材（４）と、を備える塗料容器であって、前記絞り部材（４）は、ペイントブラシを貫通可能な挿入部（４０１）と、該挿入部（４０１）内に備えた、任意の形状の切り欠き部（５０１）を備えた絞り片（５）とを有することを特徴としており、挿入部（４０１）からペイントブラシ（３０１）を容器内部に入れてペイントブラシに塗料等の液体を付着させた後ペイントブラシを容器から取り出す際に、絞り片（５）に形成された切り欠き部（５０１）により、ペイントブラシに付着させた塗料を所望する量だけ絞り取ることを可能としている。【選択図】　　　　　　　図１
2004113842.tif 000002
【特許請求の範囲】
【請求項１】
容器本体（２）と、
該容器本体（２）に着脱自在の蓋体（３）と、
前記容器本体（２）における口部近傍に装着される絞り部材（４）と、を備える塗料容器であって、
前記絞り部材（４）は、ペイントブラシを貫通可能な挿入部（４０１）と、
該挿入部（４０１）内に備えた、任意の形状の切り欠き部（５０１）を備えた絞り片（５）とを有することを特徴とする塗料容器。
【請求項２】
前記絞り片（５）における少なくとも前記挿入部（４０１）との接続箇所近傍の肉厚を、挿入部（４０１）側に行くにしたがい、下面において多くしたことを特徴とする請求項１に記載の塗料容器。
【請求項３】
前記絞り部材（４）を前記容器本体（２）における口部近傍の内周側に装着したことを特徴とする請求項１又は請求項２に記載の塗料容器。
【請求項４】
前記絞り部材（２）をポリプロピレンにより形成したことを特徴とする請求項１乃至請求項３のいずれかに記載の塗料容器。
【請求項５】
塗料容器の口部近傍に装着される絞り部材（４）であって、　ペイントブラシを貫通可能な挿入部（４０１）と、該挿入部（４０１）内に備えた、任意の形状の切り欠き部（５０１）を備えた絞り片（５）とを有することを特徴とする絞り部材。
【発明の詳細な説明】
【０００１】
【発明の属する技術分野】
本発明は塗料容器及びそれに用いる絞り部材に係り、より詳しくは、容器の口部近傍に、ペイントブラシに付着させた塗料の量を調整可能な絞り部材を備えて、これにより所望する量の塗料のみをペイントブラシに付着させることを可能とした塗料容器及びそれに用いる絞り部材に関する。
【０００２】
【従来の技術】
従来から、自動車ボディーの一部分等の、比較的狭い範囲を塗装するためのものとして、小型の塗料容器が提供されており、これによれば、自動車のボディー等における狭い範囲において塗料落ち等を起こした場合でも、当該部分を容易に塗装することが可能であるとともに、小型の容器であるために保管に際してスペースを必要とすることがないという利点がある。
【０００３】
例えば、図８は、この小型の塗料容器として一般的に提供されているもの３１を示した斜視図であり、この図８に示す塗料容器では、内部に塗料を蓄えた容器本体３２と、この容器本体３２に着脱自在に螺合される蓋体３３とを備え、前記蓋体３３にはペイントブラシ３４を一体に装着しており、これによって、蓋体３３を取り外した後に、そのまま、蓋体３３に装着されたペイントブラシ３４を用いて塗装を行なうことが可能となっている。
【０００４】
【発明が解決しようとする課題】
ところで、特にペイントブラシを用いて塗装を行なう場合には、塗装を行なう前に、ペイントブラシに付着させる塗料の量を調整する必要があり、そのためには、ペイントブラシを塗料の中に浸してペイントブラシに塗料を付着させた後に、ペイントブラシに付着した塗料を絞ることにより塗料の付着量を調整しなければならない。特に狭い範囲の塗装を行なう場合には、必要以上の塗料をペイントブラシに付着させている場合には、塗装を欲しない箇所にまで塗料が及んでしまい塗装の仕上がりが悪くなってしまうということも考えられるため、ペイントブラシに付着させた塗料の量を調整することは不可欠である。
【０００５】
この点、比較的大口の塗料容器を用いている場合には、口部に、ペイントブラシに付着した塗料を絞り取るための棒等を装着することが一般的に行なわれているために、ペイントブラシに付着させた塗料の量を調整することは比較的容易である。
【０００６】
しかしながら、小型の塗料容器の場合には、口部が小さいために、このようにペイントブラシに付着した塗料を絞り取るための棒を口部に装着した場合には、ペイントブラシ自体を塗料容器内に入れることができないという問題点が生じてしま。
【０００７】
そのため、従来から、小型の塗料容器の場合には、口部の端でペイントブラシに付着させた塗料を絞り取ることが行なわれているが、この方法では、適切な量の塗料の絞りを行なうことができないとともに、容器の口部近傍が汚れてしまうという問題点が考えられる。
【０００８】
そこで、本発明は、特に小型の塗料容器において、ペイントブラシに付着させた塗料の量を正確に調整可能であるとともに、容器を汚すことも無い塗料容器及びそれに用いる絞り部材を提供することを課題としている。
【０００９】
【課題を解決するための手段】
本発明の塗料容器は、容器本体と、該容器本体に着脱自在の蓋体と、前記容器本体における口部近傍に装着される絞り部材と、を備える塗料容器であって、
前記絞り部材は、ペイントブラシを貫通可能な挿入部と、該挿入部内に備えた、任意の形状の切り欠き部を備えた絞り片とを有することを特徴としている。
【００１０】
本発明の塗料容器では、容器本体の口部近傍に絞り部材を備えており、この絞り部材には、ペイントブラシを貫通な挿入部が形成され、更に、この挿入部には、任意の形状の切り欠き部を備えた絞り片が備えられている。
【００１１】
そして、この塗料容器を使用する場合には、挿入部からペイントブラシを容器内部に入れて、これによりペイントブラシに塗料を付着させ、その後、ペイントブラシを容器から取り出す際に、絞り片に形成された切り欠き部により、ペイントブラシに付着させた塗料等の液体を所望する量だけ絞り取る。
【００１２】
そうすると、必要量の液体のみをペイントブラシに付着させることができるとともに、口部近傍を汚すことも無くなる。
【００１３】
このように、本発明を用いることにより、塗料等を絞り取るための特別な棒等を用いることなくペイントブラシに付着させた塗料等を絞り取ることができるため、特に小型の塗料容器において、ペイントブラシに付着させる塗料等の付着量を容易に調整することが可能である。
【００１４】
【発明の実施の形態】
本発明の塗料容器では、容器本体と、この容器本体に着脱自在の蓋体とを備えるとともに、容器本体における口部近傍には、絞り部材が備えられている。
【００１５】
そして、この絞り部材は、ペイントブラシを貫通可能な挿入部を備えるとともに、この挿入部内には、任意の形状の切り欠き部が形成された絞り片が備えられている。
【００１６】
ここで、前記絞り片における少なくとも前記挿入部との接続部近傍の肉厚を、挿入部側に行くにしたがい、下面において多くするとよく、これにより、絞り片の下面において液溜りを防止することが可能である。
【００１７】
また、前記絞り部材は、全体をポリプロピレンにより構成するとともに、容器本体における口部近傍の内周側に装着するとよく、これにより、絞り部材を装着した場合でも容器本体をスマートにすることが可能である。
【００１８】
【実施例】
本発明の塗料容器の実施例について図面を参照して説明すると、図１は本実施例の塗料容器の構造を示すための断面図であり、図において１が本実施例の塗料容器である。
【００１９】
そして、本実施例の塗料容器１では、内部に塗料６を蓄えることが可能な容器本体２と、この容器本体に着脱自在に装着可能な蓋体３とを備えており、蓋体３の内部には、容器本体２側に向けて、ペイントブラシ３０１が立設されている。
【００２０】
一方、容器本体２は、全体をアルミにより構成しており、塗料を蓄えるための本体部２０１と、前記ペイントブラシ３０１を挿入するための口部２０２とを備え、口部２０２は、平面形状で略円形状としている。
【００２１】
なお、本実施例においては、前記容器本体２における口部２０２の外周側、及び、前記蓋体３の先端部近傍の内周側にネジきりが施されており、これにより、容器本体２に対して蓋体３を螺合可能としている。
【００２２】
次に、前記容器本体２における口部２０２の内周側には、ポリプロピレン製の絞り部材４が圧入固定されており、この絞り部材４により、ペイントブラシに付着したペイント量の調整を可能としている。
【００２３】
ここで、前記絞り部材４について図２乃至図４を参照して説明すると、図２は絞り部材４の斜視図、図３は平面図、図４は側面構造を示した断面図であり、図において、前記絞り部材４は、前記口部２０２の内周に圧入可能なように全体として略円筒形状とすることにより、ペイントブラシを貫通可能な挿入部４０１を備えている。
【００２４】
また、本実施例における絞り部材４では、上端部近傍の外径を大きくして拡大部４０２とするとともに、絞り部材４を容器本体２の口部２０２に装着した際に、この拡大部４０２が前記容器本体２における口部上端部に当接するように構成としている。
【００２５】
そして、前記挿入部４０１の任意の箇所には、具体的には、本実施例においては、挿入部４０１の上端部よりわずかに下がった箇所に、平板状の絞り片５を連設している。
【００２６】
ここで、この絞り片５について説明すると、図３において前記絞り片５は、前記挿入部４０１の径の約半分程度を閉塞する大きさにしているとともに、その任意の箇所をＶ字状に切り欠いて、これにより、略Ｖ字状の切り欠き部５０１を形成している。
【００２７】
このように、本実施例の塗料容器１では、絞り部材４の挿入部４０１に絞り片５を備えるとともに、この絞り片５には略Ｖ字状に形成した切り欠き部５０１を備えているため、ペイントブラシに付着させたペイントをこの切り欠き部５０１で絞り取ることができ、これにより、ペイントブラシに付着させる塗料の量を自在に調整することができる。
【００２８】
なお、前記絞り片５は、ペイントブラシに付着させた塗料を絞り取って塗料の量を調整可能であればよいため、絞り片５及びこの絞り片５に形成した切り欠き部５０１の形状は特に限定はされず、必ずしも、前述したように、挿入部４０１の径の約半分程度を閉塞する大きさにするとともに、その任意の箇所をＶ字状に切り欠いて切り欠き部５０１とする必要はない。従って、例えば、図６に平面図で示すように、前記挿入部４０１のほぼ全面を閉塞するとともに中央部近傍に略三角形の切り欠き部５０１を形成した絞り片５としてもよく、あるいは、図７に平面図で示すように、挿入部４０１のほぼ全面を閉塞するとともに中央部近傍に略ひし形の切り欠き部５０１を形成した絞り片５としても、あるいは、その他の形状の切り欠き部を形成した絞り片としてもよい。
【００２９】
また、前述の絞り片５では、その肉厚を均一としたが、必ずしも均一の肉厚にする必要はない。例えば、図５は、変形させた絞り片８を有する絞り部材７の構造を示した断面図であり、図５に示す絞り片５では、挿入部４０１との接続箇所近傍において、挿入部４０１との接続部側に行くにしたがい、その下面を曲線状に下側に湾曲させて肉厚を多くしている。そしてこれにより、絞り片５の下面において液溜りが出来ることを防止している。
【００３０】
次に、このように構成される本実施例の塗料容器の作用について説明すると、絞り部材４の挿入部４０１を貫通させつつペイントブラシ３０１の先端のハケ３０２を容器本体２内の塗料６に浸した後、容器本体２からペイントブラシ３０１を抜き取る際に、ペイントブラシ先端のハケ３０２を、切り欠き部５の縁部分に当接させ、切り欠き部５の縁部分でペイントブラシ先端のハケ３０２に付着した塗料を絞り取り、これによりペイントブラシ先端のハケ３０２に付着させる塗料の量を調整する。
【００３１】
そしてこのとき、絞り取る塗料の量が多い場合には、ペイントブラシ３０１を切り欠き部５０１の最奥部まで移動させながら、その後、切り欠き部５０１の最奥部を擦るようにしてペイントブラシ３０１を抜き取るとよい。
【００３２】
このように、本実施例の塗料容器では、絞り片５に形成した切り欠き部５０１により塗料を絞り取ることとしているため、特に蓋体にペイントブラシが装着されている小型の塗料容器の場合には、ペイントブラシを容器本体から抜き取る際に、ペイント量を容易に調整することが可能であるという利点がある。
【００３３】
また、本実施例の塗料容器では、絞り部材に備えた絞り片の切り欠き部によりペイントを絞り取る方式としているため、容器本体の口部分が汚れることを防止することもできる。
【００３４】
更に、絞り部材は容器本体とは別個の部品としているために、これを他の塗料容器の口部に装着することが可能である。
【００３５】
【発明の効果】
本発明の塗料容器及びそれに用いる絞り部材は以上説明した形態で実施され、以下に記載するような効果を奏する。
【００３６】
本発明の塗料容器は、容器本体と、該容器本体に着脱自在の蓋体と、前記容器本体における口部近傍に装着される絞り部材と、を備える塗料容器であって、前記絞り部材は、ペイントブラシを貫通可能な挿入部と、該挿入部内に備えた、任意の形状の切り欠き部を備えた絞り片とを有することを特徴としている。
【００３７】
このように、本発明の塗料容器では、容器本体の口部近傍に絞り部材を備えているとともに、この絞り部材には、ペイントブラシを貫通な挿入部が形成されており、更に、この挿入部には、任意の形状の切り欠き部を備えた絞り片が備えられている。
【００３８】
そのため、挿入部からペイントブラシを容器内部に入れてペイントブラシに塗料等の液体を付着させた後ペイントブラシを容器から取り出す際に、絞り片に形成された略Ｖ字状の切り欠き部により、ペイントブラシに付着させた塗料等の液体を所望する量だけ絞り取ることで、必要量のペイントのみをペイントブラシに付着させることができるとともに、口部近傍を汚すことも無くなる。
【図面の簡単な説明】
【図１】本発明の塗料容器の実施例を説明するための断面図である。
【図２】本発明の塗料容器の実施例における絞り部材を説明するための斜視図である。
【図３】本発明の塗料容器の実施例における絞り部材の平面図である。
【図４】本発明の塗料容器の実施例における絞り部材の側面構造を説明するための断面図である。
【図５】本発明の塗料容器に用いられる絞り片の他の形態を説明するための図である。
【図６】本発明の塗料容器に用いられる絞り片の他の形態を説明するための図である。
【図７】本発明の塗料容器に用いられる絞り片の他の形態を説明するための図である。
【図８】ペイントブラシを備えた小型塗料容器を示す図である。
【符号の説明】
１　塗料容器
２　　容器本体
２０１　　容器本体の本体部
２０２　　容器本体の口部
３　　蓋体
３０１　　ペイントブラシ
３０２　　ペイントブラシ先端のハケ
４、７　　絞り部材
４０１　　挿入部
４０２　　拡大部
５、８　　絞り片
５０１　　切り欠き部
６　　塗料
【図１】
2004113842.tif 000003
【図２】
2004113842.tif 000004
【図３】
2004113842.tif 000005
【図４】
2004113842.tif 000006
【図５】
2004113842.tif 000007
【図６】
2004113842.tif 000008
【図７】
2004113842.tif 000009
【図８】
2004113842.tif 000010